(57)【要約】【課題】基材の表面に軟質合成樹脂からなる滑り止め層を形成した滑り止め構造において、適度な滑りを与えながら滑り止め機能を発揮させると共に基材への傷の発生を抑制できるようにする【解決手段】基材の表面に細かい凸模様又はエンボス模様を硬質の紫外線硬化樹脂で形成し、その外側に点及び／又は線からなる滑り止め図柄層を形成した【選択図】  図１
2009125324.tif 000002
【特許請求の範囲】
【請求項１】
基材の表面に軟質合成樹脂からなる滑り止め層を形成した滑り止め構造において、基材の表面に細かい凸模様又はエンボス模様を硬質の紫外線硬化樹脂で形成し、その外側に点及び／又は線からなる滑り止め図柄層を形成した滑り止め構造。
【請求項２】
滑り止め図柄層が小突起からなるドットパターンで形成したものである請求項１に記載の滑り止め構造。
【請求項３】
滑り止め図柄層を形成する線が断続したものである請求項１に記載の滑り止め構造。
【請求項４】
滑り止め図柄層が印刷によって形成されたものである請求項１、２又は３に記載の滑り止め構造。
【発明の詳細な説明】
【技術分野】
【０００１】
本発明は、基材の表面に軟質合成樹脂からなる滑り止め層を形成した滑り止め構造に関するものであり、お盆、食器棚、引出し底板、テーブル、滑り止めシートなどにおいて利用される。
【背景技術】
【０００２】
この種の滑り止め構造としては、特許文献１に開示されたものが知られている。
この公知の滑り止め構造は、基材としてのお盆の表面をシリコーンゴム、熱可塑性エラストマ又は柔らかく調整された熱可塑性プラスチックで覆うことによって、滑り防止層を形成したものである（公報第５〜６頁参照）。
【０００３】
この構造の滑り止め層では、その上に置いた食器の滑りを確実に抑制することができるものの、表面の滑り止め機能を発揮させることによって新たな問題が発生してきた。
すなわち、液体を入れた椀を載せた状態で移動する途中になんらかの理由によって歩行を停止しなければならなくなった場合、椀自体は滑ることなく盆と共に移動を停止できるが、お盆上の椀の中に入っている液体は急な停止に対応できず、そのまま移動しようとして椀から溢れてしまう不都合がある。
【０００４】
また、これらと同様の滑り止め層を食器棚の表面に設けた場合、地震などによる突発的な揺れが発生すると、棚上に積み上げている食器が倒れてしまうことになる。また、食器を収納する際に棚上に先に収納されている食器の位置をずらすことも困難となるから、後で収納する食器のためのスペースの調整に支障をきたすことになる。
さらに、食器収納用の引出しの底板に上記の滑り止め層を形成した場合には、引出しを開け閉めする際に食器が倒れるおそれもある。
【０００５】
食器などの滑りを防止する際には、「滑り」と「滑りの抑制」とのバランスが必要となるが、滑りを許容する部分と滑りを抑制する部分とを組み合わせたとしても、滑り止め層を形成した部分以外の部分に食器の摺動に伴う細かい傷がついてしまう懸念がある。
【特許文献１】特表２０００−５０４２４３号公報
【発明の開示】
【発明が解決しようとする課題】
【０００６】
本発明は、基材の表面に軟質合成樹脂からなる滑り止め層を形成した滑り止め構造において、適度な滑りを与えながら滑り止め機能を発揮させると共に基材への傷の発生を抑制できるようにすることを課題としたものである。
【課題を解決するための手段】
【０００７】
この技術的課題を解決するための技術的手段は、（イ）基材の表面に細かい凸模様又はエンボス模様を硬質の紫外線硬化樹脂で形成し、（ロ）その外側に点及び／又は線からなる滑り止め図柄層を形成したこと、である。
【０００８】
基材の表面は硬質の紫外線硬化樹脂で形成されて耐摩耗性を備えているから、基材の表面で載置物をすべらせても擦り傷が付くことはほとんどない。仮にわずかな傷がついたとしても、表面が細かい凸模様又はエンボス模様となっているためその傷は凸部分の表面に細かい点として表れ、傷自体はほとんど目立つことはない。
【０００９】
基材となるべき素材は、アクリル、スチレン、ポリエチレン、ポリプロピレン、ナイロンなどの合成樹脂の他、木、金属などを好適に使用できるが、その種類や形態は問わない。また、これらの素材上に載置したり貼着したりするためのフィルムなどのシートを基材として使用することもできる。
細かい凸模様又はエンボス模様を形成する硬質の紫外線硬化樹脂としては、アクリル系、ウレタン系、ポリエステル系などの樹脂を使用して、スクリーン印刷、加熱加圧成型、ポッティングなどの方法によって形成することができる。
【００１０】
細かい凸模様又はエンボス模様の外側には、滑り止め図柄層が形成されているから、載置物はこの印刷層上に載置されることになる。
滑り止め図柄層は、点と線のいずれか又はその組合せによって形成されているから、滑り止め図柄の間には硬質の紫外線硬化樹脂からなる細かい凸模様又はエンボス模様が露出した状態となっている。この露出した凸模様又はエンボス模様部分では滑り止め機能が発揮されないから、載置物は点又は線からなる滑り止め層と滑り止め機能を持たない凸模様又はエンボス模様の双方に接触し、基材上で適度な滑りが付与されながら滑り止め機能が発揮されることになる。
【００１１】
また、滑り止め図柄層は、軟質のアクリル、ウレタン、ポリエステル、シリコンなどの樹脂の他、ゴムを使用することができる。
この図柄層も、前記の硬質樹脂の場合と同様の方法によって形成することができる。
【００１２】
滑り止め図柄層を小突起からなるドットパターンで形成し、或いは断続した線で形成しておくと、硬質の紫外線硬化樹脂からなる細かい凸模様又はエンボス模様と組み合わせた状態で凹凸の閉鎖域が形成されないから、万一水が溢れたりしても水が滞留して水膜が形成されることはなく、滑り止め機能が確実に発揮され、滑りと滑り止めとのバランスが崩れることはない。
なお、滑り止め図柄層を印刷によって形成すると、滑り止め層の形成を手軽に行える利点がある。
【発明の効果】
【００１３】
適度な滑りを与えながら滑り止め機能を発揮させることができるから、載置物の取扱を安定して行える利点があり、また、基材への傷の発生が抑制されるから、いつまでも基材をきれいな状態に保って使用することができる。
【発明を実施するための最良の形態】
【００１４】
図１は、食器戸棚用のアクリル樹脂板１の表面全体に、硬質のアクリルウレタン系紫外線硬化樹脂からなる直径１ｍｍ、高さ０．１ｍｍのドットパターン２、２をスクリーン印刷によって直接形成し、その外側に高さがドット２より５μｍだけ高くなるように直径１０ｍｍの円形ドットパターン３、３を、軟質のウレタン系紫外線硬化樹脂でスクリーン印刷によって形成した。
これを食器戸棚の棚板として使用したところ、適度の滑り性があり、表面に傷が付くことはほとんどなかった。
【００１５】
硬質のドットパターン２は、その用途に応じてドットの大きさ、高さ及び間隔を選択すればよい。後工程で形成する軟質の図柄層の点又は線３が描かれる部分を除いて硬質のドット２を形成しておいてもよいし、前面にドット２を形成し、その上から軟質の図柄を形成するようにしてもよい。
【図面の簡単な説明】
【００１６】
【図１】棚板の縦断面図
【符号の説明】
【００１７】
１アクリル板、  ２硬質のアクリルウレタン系紫外線硬化樹脂からなるドット、  ３軟質のウレタン系紫外線硬化樹脂からなるドット
【図１】
2009125324.tif 000003